(57)【特許請求の範囲】
【請求項１】
シェルと、
前記シェルとの間に空気流チャネルが形成されるように、少なくとも部分的に前記シェル内に配置された光リフレクタと、
前記光リフレクタ内に配置された少なくとも１つの発光ダイオードと、
少なくとも部分的に前記空気流チャネル内に配置され、前記発光ダイオードが取り付けられたヒートシンクと、
前記空気流チャネルと流体連通状態のモータ及びファンと、
を備え、
前記ファンが、前記ヒートシンク上に前記空気流チャネルを通して空気を移動させるように構成され、
更に、前記シェルに連結されたねじ込み式の電気コンタクトベースを備えることを特徴とするＬＥＤランプ。
【請求項２】
前記ファンが、前記空気流チャネルを通して空気を移動させる前に、前記ヒートシンク上に空気を移動させるように構成されたことを特徴とする請求項１に記載のＬＥＤランプ。
【請求項３】
前記シェルが少なくとも１つの空気入口アパーチャを有し、前記ファンが、前記空気入口アパーチャを通して空気を吸い込むことを特徴とする請求項１に記載のＬＥＤランプ。
【請求項４】
前記シェル及び光リフレクタが少なくとも１つの空気排出アパーチャを定め、空気が、前記ヒートシンク上に移動した後に、前記少なくとも１つの空気排出アパーチャを通して排出されることを特徴とする請求項３に記載のＬＥＤランプ。
【請求項５】
前記シェルが少なくとも１つの空気排出アパーチャをさらに有し、空気が、前記ヒートシンク上に移動した後、前記少なくとも１つの空気排出アパーチャを通して排出されることを特徴とする請求項３に記載のＬＥＤランプ。
【請求項６】
前記シェル及び光リフレクタが少なくとも１つの空気入口アパーチャを定め、前記シェルが少なくとも１つの空気排出アパーチャをさらに有し、前記ファンが、前記空気入口アパーチャを通して空気を吸い込み、前記空気流チャネルを通して前記ヒートシンク上に、及び前記空気排出アパーチャを通して空気を移動させることを特徴とする請求項１に記載のＬＥＤランプ。
【請求項７】
前記装置が、前記シェルに連結されたベースをさらに備え、該シェルが、前記ベースの近くに配置された複数の空気入口アパーチャを有することを特徴とする請求項３に記載のＬＥＤランプ。
【請求項８】
前記ヒートシンクは、複数のフィン及び前記空気流チャネル内に延びる複数のヒートパイプのうちの少なくとも１つを含むことを特徴とする請求項１に記載のＬＥＤランプ。
【請求項９】
前記モータ及びファンが前記シェル内にあることを特徴とする請求項１に記載のＬＥＤランプ。
【請求項１０】
前記シェルに連結された中空のネックと前記中空のネックに連結されたベースとをさらに備え、前記モータ及びファンが前記ベース内にあることを特徴とする請求項１に記載のＬＥＤランプ。
【請求項１１】
シェルと、
前記シェルとの間に空気流チャネル空間が形成されるように、少なくとも部分的に前記シェル内に配置された光リフレクタと、
前記光リフレクタ内に配置された少なくとも１つの発光ダイオードと、
少なくとも部分的に前記空気流チャネル内に配置され、前記発光ダイオードが取り付けられたヒートシンクと、
前記空気流チャネル空間と流体連通状態のモータ及びファンと、
を備え、
前記ファンが、前記ヒートシンク上に前記空気流チャネルを通して空気を移動させるように構成され、
前記シェルに連結された中空のネックと前記中空のネックに連結されたベースとをさらに備え、前記モータ及びファンが前記ベース内にあることを特徴とするＬＥＤランプ。
【請求項１２】
発光ダイオードから放出された光を指向させる光リフレクタを含むランプ内の発光ダイオードを冷却する方法であって、前記方法が、
少なくとも１つの空気入口アパーチャを通して空気を吸い込み、
前記発光ダイオードに連結されたヒートシンク上に前記空気を移動させ、
前記光リフレクタの少なくとも一部に沿って前記空気を移動させ、
少なくとも１つの空気排出アパーチャを通して前記空気を排出し、
前記光リフレクタを支持する中空の要素及び前記中空の要素に連結されたベースを通して、前記空気を移動させる段階を含むことを特徴とする方法。
【請求項１３】
前記空気を前記ヒートシンク上に移動させる前に、前記光リフレクタの少なくとも一部に沿って該空気を移動させることを特徴とする請求項１２に記載の方法。
【請求項１４】
前記光リフレクタの少なくとも一部に沿って前記空気を移動させる段階が、該光リフレクタ及び該光リフレクタの少なくとも一部を囲む外側シェルによって定められる空間を通して該空気を移動させる段階を含むことを特徴とする請求項１２に記載の方法。
【請求項１５】
空気を吸い込み、ヒートシンク上に前記空気を移動させ、前記光リフレクタの少なくとも一部に沿って該空気を移動させ、該空気を排出する段階が、ファンによって行われることを特徴とする請求項１２に記載の方法。
【請求項１６】
前記光リフレクタ及び該光リフレクタの少なくとも一部を囲む外側シェルによって定められる少なくとも１つの空気排出アパーチャを通して、空気が排出されることを特徴とする請求項１２に記載の方法。
【請求項１７】
発光ダイオードと、
前記発光ダイオードから放出された光の方向を制御する光リフレクタと、
前記発光ダイオードが取り付けられたヒートシンクと、
前記ヒートシンク上に空気を移動させるためのファンと、
空気流チャネルと、
を備え、
前記空気チャネルを通して前記ファンが空気を移動させるようになっており、前記空気チャネルは前記光リフレクタの全体的な輪郭に沿っており、
更に、前記光リフレクタに連結されたねじ込み式の電気コンタクトベースを備えることを特徴とするＬＥＤランプ。
【請求項１８】
前記空気流チャネルが、前記光リフレクタによって少なくとも部分的に定められたことを特徴とする請求項１７に記載のＬＥＤランプ。
【請求項１９】
前記光リフレクタが少なくとも部分的に配置された外側シェルをさらに備え、前記空気流チャネルが、前記外側シェルによってさらに定められたことを特徴とする請求項１８に記載のＬＥＤランプ。
【請求項２０】
前記外側シェルが、前記ヒートシンク上に移動される前に空気を吸い込む複数のアパーチャを有することを特徴とする請求項１９に記載のＬＥＤランプ。
【請求項２１】
前記ヒートシンクが、複数のフィン及び前記光リフレクタの一般的な方向に延びる複数のヒートパイプのうちの少なくとも１つを備えることを特徴とする請求項１７に記載のＬＥＤランプ。
【請求項２２】
前記光リフレクタ及びヒートシンクに連結された中空の支持要素をさらに備え、前記中空の支持要素が、前記空気流チャネルの一部を定めることを特徴とする請求項１７に記載のＬＥＤランプ。
【請求項２３】
発光ダイオードと、
前記発光ダイオードから放出された光の方向を制御する光リフレクタと、
前記発光ダイオードが取り付けられたヒートシンクと、
前記ヒートシンク上に空気を移動させるためのファンと、
空気流チャネルと、
を備え、
前記空気流チャネルを通して前記ファンが空気を移動させるようになっており、前記空気チャネルは前記光リフレクタの全体的な輪郭に沿っており、
前記光リフレクタ及びヒートシンクに連結された中空の支持要素をさらに備え、前記中空の支持要素が、前記空気流チャネルの一部を定め、
前記中空の支持要素に連結されたベースを更に備え、前記ファンは前記ベースの内にあることを特徴とするＬＥＤランプ。
【発明の詳細な説明】
【技術分野】
【０００１】
本発明は、一般に発光ダイオード（ＬＥＤ）ランプに関し、具体的には、ＬＥＤランプの冷却に関する。
【背景技術】
【０００２】
近年、ＬＥＤが従来の白熱電球に取って代わる傾向がでてきた。例えば、交通信号及び自動車のブレーキ灯は、ＬＥＤを用いて製造されることが多い。例えば、エネルギーの使用及び耐用寿命に関して、白熱電球はＬＥＤに比べて効率が悪いので、従来の白熱電球を１つ又はそれ以上のＬＥＤと置き換えることは望ましいことである。
【０００３】
白熱電球をＬＥＤと置き換えることは望ましいが、作動条件のせいで置き換えが困難な幾つかの照明器具がある。例えば、照明が缶内に埋め込まれたスポットライト型用途においては、熱の管理が重要である。
【０００４】
図１は、缶１２缶内に埋め込まれた従来のＰＡＲ型白熱ランプ１０を示す。缶１２は、絶縁材１４により囲まれている。標準的なＰＡＲ白熱型ランプは、矢印１６として示される赤外線領域内の光の大部分、すなわちλ＞６５０ｎｍを有する光を放出する。したがって、ランプ１０は、可視領域内の光と共に熱も放出する。
【０００５】
他方、ＬＥＤは、特定の波長で光を放出するように設計されている。可視スペクトル内の光を放出するように設計されているＬＥＤは、赤外線を放射しないが、著しい量の熱を生成し、例えば、ＬＥＤが受け取る入力エネルギーの約８０−９０％が、熱に変換され、その残りが光に変換される。したがって、ＬＥＤによって生成された熱を放散させなければならない。残念なことに、図１に示される埋め込まれた照明器具のような用途においては、空気流がほとんどないか又は全くなく、放熱を厄介にしている。
【発明の開示】
【発明が解決しようとする課題】
【０００６】
したがって、空気流がほとんどないか又は全くない用途に用いられる場合でも、効率的に放熱することができるＬＥＤランプが必要とされる。
【課題を解決するための手段】
【０００７】
本発明の実施形態によると、ＬＥＤランプが、ＰＡＲ型電球のような従来の白熱電球と同じ形状因子を有し、放熱のためのファン及びヒートシンクを含む。ＬＥＤランプは、シェル内部に配置された光リフレクタを含む。光リフレクタ及びシェルは、空気を通し、装置を冷却するために用いられる空間を定める。ＬＥＤは、シェル内に配置されたヒートシンク上に取り付けられる。ファンは、ヒートシンク上に、光リフレクタ及びシェルによって定められた空間を通して空気を移動させる。シェルは、空気入口又は空気排出アパーチャとして働く１つ又はそれ以上のアパーチャを含む。シェルの開口部において光リフレクタ及びシェルによって定められた１つ又はそれ以上のアパーチャを、空気排出又は空気入口アパーチャとして用いることもできる。
【０００８】
したがって、本発明の１つの態様においては、装置は、シェルと、該シェル内に少なくとも部分的に配置された光リフレクタとを含む。空間が、光リフレクタとシェルとの間に形成される。この装置は、光リフレクタ内に配置された少なくとも１つの発光ダイオードと、シェル内に少なくとも部分的に配置されたヒートシンクとをさらに含む。発光ダイオードは、ヒートシンクに取り付けられる。この装置は、シェル内に配置されたモータ及びファンを含み、該ファンは、ヒートシンク上に空間を通して空気を移動させるように構成される。
【０００９】
本発明の別の態様は、ランプ内の発光ダイオードを冷却する方法である。このランプは、発光ダイオードから放出された光を指向させる光リフレクタを含む。この方法は、少なくとも１つの空気入口アパーチャを通して空気を吸い込み、発光ダイオードに連結されたヒートシンク上に該空気を移動させる段階を含む。この方法は、光リフレクタの少なくとも一部に沿って空気を移動させ、少なくとも１つの空気排出アパーチャを通して空気を排出する段階を含む。この方法は、空気がヒートシンク上に移動される前に、光リフレクタの少なくとも一部に沿って空気を移動させる段階を含むことができる。
【００１０】
本発明の更に別の態様においては、装置は、発光ダイオードと、該発光ダイオードから放出された光の方向を制御する光リフレクタとを含む。この装置は、発光ダイオードが取り付けられたヒートシンクと、該ヒートシンク上に空気を移動させるためのファンとを有する。この装置は、これを通してファンが空気を移動させる空気流チャネルをさらに含む。この空気流チャネルは、光リフレクタの全体的なアウトラインに従っている。
【発明を実施するための最良の形態】
【００１１】
図２は、従来の白熱電球の代わりに用い得るＬＥＤランプ１００の１つの実施形態の側面図を示す。ＬＥＤランプ１００は、パラボラ状アルミメッキ・リフレクタ（ＰＡＲ）型照明装置のような、従来の白熱電球と同様の形状因子を有する外側シェル１０２を含む。したがって、図２に示されるように、シェル１０２は、広端部に開口部１０２ａを含む切頭円錐形状を有し、狭端部は、ねじ込み式ベース１０４に連結されている。シェル１０２の狭端部は、ベースに連結されている円筒形状内に変移してもよい。ベース１０４にねじ込むか、又は接着剤でつけるか、或いは、例えばタブ及びスロットを用いるなどの他の方法で、シェル１０２を該ベースに連結することができる。ねじ込み式ベース１０４は、従来のコンタクトベースであり、エジソン型ソケット又は一般に用いられるソケットと両立性がある。もちろん、ランプ１００と共に如何なる所望のコンタクトベースを用いてもよい。さらに、必要に応じて、本発明に従って、ＰＡＲ型照明装置以外の形状因子を用いることもできる。
【００１２】
シェル１０２は、ベース１０４の近くに１つ又はそれ以上のアパーチャ１０６を含む。複数のアパーチャ１０６が用いられる場合には、該アパーチャ１０６は、ベース１０４の近くのシェル１０２の周囲の周りにほぼ等間隔で配置される。例として、各々が約１／８インチの半径を有する１２個のアパーチャ１０６がある。このアパーチャ１０６は、ＬＥＤランプ１００のための吸気ポート又は排気ポートとして働く。複数のアパーチャの代わりに単一のアパーチャが用いられる場合には、適切な空気流をもたらすために、該アパーチャを比較的大きなものにすべきである。
【００１３】
図３は、ＬＥＤランプ１００の断面図を示し、図４は、該ＬＥＤランプ１００の上部の平面図である。図３に見られるように、ＬＥＤランプ１００は、放出された光の方向を制御するために、パラボラ状光リフレクタ１１０、又は全反射リフレクタ（ＴＩＲ）のような他の光学素子を含む。参照を簡略化するために、ここでは光リフレクタ１１０という用語が用いられる。しかしながら、光リフレクタ１１０という用語の使用は、パラボラ状リフレクタ及びＴＩＲなど、放出された光の方向を制御する何らかの素子を指すことを理解すべきである。必要に応じて、光リフレクタ１１０は、シェル１０２の開口部１０２ａを超えて延びることができる。図３及び図４に示されるように、シェル１０２と光リフレクタ１１０との間に空間が定められる。以下により詳細に説明されるように、シェル１０２と光リフレクタ１１０との間の空間は、空気チャネル１１１として働く。
【００１４】
光リフレクタ１１０は、複数の支持フィン１１２により、シェル１０２の開口部１０２ａで該シェル１０２に連結されている。光リフレクタ１１０は、接着剤、クリップ、又はばねタブを用いて、溶接によって、又は他の何らかの適切な取付け手段によって、シェル１０２に取り付けることができる。
図４に見られるように、シェル１０２、光リフレクタ１１０、及び支持フィン１１２は、排気ポート又は吸気ポートとして働く複数のアパーチャ１１４を定める。シェル１０２及び光リフレクタ１１０によって定められるように、必要に応じて、単一のアパーチャ１１４だけが形成されるように、例えばチャネル１１１内といった他の場所に支持フィン１１２を配置できることを理解すべきである。
【００１５】
ＬＥＤランプ１００は、ねじ込み式ベース１０４からのＡＣ電力をＤＣ電力に変換するＡＣ／ＤＣ変換器１１６を含む。一般に、ＡＣ／ＤＣ変換器は、周知のものである。ＡＣ／ＤＣ変換器１１６は、ねじ込み式ベース１０４の近くのＬＥＤランプ１００内に嵌まるのに十分な程小さい何らかの従来の変換器とすることができる。
光リフレクタ１１０が発光ダイオードから放出された光の方向を制御できるように、ＬＥＤ１２０が、該光リフレクタ１１０のベースに配置される。このＬＥＤ１２０は、ＡＣ／ＤＣ変換器１１６に電気的に接続される。このＬＥＤ１２０は、例として、カリフォルニア州サンノゼ所在のＬｕｍｉｌｅｄｓ  Ｌｉｇｈｔｉｎｇ  Ｕ．Ｓ．，ＬＬＣ社から購入することができるＬｕｘｅｏｎ  ５００ｌｍ  ＬＥＤである。本発明と共に、如何なる所望のＬＥＤを用い得ることを理解すべきである。さらに、図３は、ＬＥＤランプ１００内の単一のＬＥＤ１２０を示すが、所望に応じて、複数のＬＥＤを用い、所望の輝度又は所望の光の色を生成できることを理解すべきである。
【００１６】
ＬＥＤ１２０は、ボルト、リベット、はんだ、又は他の何らかの適切な取付け方法によって、ヒートシンク１３０に取り付けられる。ヒートシンク１３０は、例えば、アルミニウム、アルミニウム合金、真鍮、鋼、ステンレス鋼、又は他の何らかの熱伝導性材料、化合物、又は複合物から製造される。ヒートシンク１３０は、それぞれヒートシンク１３０の平面図、断面図（図４Ａの線ＡＡに沿った）、及び底面図を示す、図４Ａ、図４Ｂ、及び図４Ｃに詳細に示される。図４Ａ、図４Ｂ、及び図４Ｃに示されるように、ヒートシンク１３０は、ベース１３２と、該ベースから延びる複数のフィン１３６とを含む。必要に応じて、フィン１３６の代わりにヒートパイプ、或いは、フィン及びヒートパイプの組み合わせを用いてもよい。
【００１７】
ヒートシンク１３０のベース１３２は、複数のアパーチャを含み、これらのアパーチャは、例えばボルト又はリベットによって、ＬＥＤ１２０を該ヒートシンク１３０の該ベース１３２の上面にＬＥＤ１２０を取り付けるために用いられる。もちろん、必要に応じて、はんだ又はエポキシのような他の適切な熱伝導性の取付け手段を用いてもよい。さらに、例えば、異なる形状のＬＥＤランプにおいては、ヒートシンクの構成が異なり得ることを理解すべきである。さらに、図３は、チャネル１１１内に部分的に延びるヒートシンク１３０のフィンを示すが、必要に応じて、該フィンは、該チャネル１１１を完全に貫通して延びることができることを理解すべきである。フィン１３２がチャネル１１１を完全に貫通して延びる構成においては、光リフレクタ１１０に対してフィン１１２を支持する必要をなくすことができる。外側シェル１０２と光リフレクタ１１０との間の圧力嵌めによって、ヒートシンク１３０を所定の位置に保持することができる。代替的に、例えば、接着剤、ボルト、リベット、又は他の適切な連結手段を用いて、シェル１０２及び光リフレクタ１１０の一方又は両方にヒートシンク１３０を連結することができる。
【００１８】
図４Ａ及び図４Ｂに示されるように、フィン１３６はまた、アパーチャ１３８も含む。このアパーチャ１３８は、例えばボルト又はリベットを用いて、モータ１４０をヒートシンク１３０のベース１３２の下側に取り付けるために用いられる。モータ１４０は、ファン１４２を駆動するために用いられる。モータ及びファンは、図４Ａ及び図４Ｂに示されている。例として、モータ１４０は、ブラシレスＤＣ１２Ｖモータであってもよく、ＡＣ／ＤＣ変換器１２５から電力を受け取る。モータ及びファンの形式及びサイズは、ＬＥＤランプ１００のサイズ、ＬＥＤの形式、及びそのＬＥＤがどれだけの熱を発生するかによって決まる。例として、ＰＡＲ３８すなわちシェル１０２の最も広い部分の直径が４インチである形状因子を有するＬＥＤランプ１００及びＬｕｘｅｏｎ  ５００ｌｍ  ＬＥＤと共に、６８×６０×１０ｍｍの寸法を有し、３．７ＣＦＭを生成する適切なモータ１４０及びファン１４２を、部品番号１０３５−Ｃ２として、カリフォルニア州サンノゼ所在のＭｉｌｌｅｎｎｉｕｍ  Ｅｌｅｃｔｒｏｎｉｃｓ  Ｉｎｃ．社から購入することができる。もちろん、必要に応じて、他の形式のモータ、ファン、及び寸法を用いることができる。ｗｗｗ．Ｍｅｉ−ｔｈｅｒｍａｌ．ｃｏｍ。
【００１９】
ファン１４２は、空気入口アパーチャ１０６を通して空気を吸い込み、ヒートシンク１３０上にシェル１０２と光リフレクタ１１０との間のチャネル１１１を通して空気を移動させ、該シェル１０２、該光リフレクタ１１０、及びフィン１１２によって定められる排気アパーチャ１１４を通して外に出す。空気流は、破線の矢印１４４によって図３に示されている。ヒートシンク１３０上のチャネル１１１を通って、排気アパーチャ１１４を出る空気流は、該ヒートシンク１３０から、よってＬＥＤ１２０から熱を効果的に放散する。光リフレクタ１１０の一般的な方向の空気流チャネル１１１、及びＬＥＤランプ１００の外への空気流を、該ＬＥＤランプ１００により生成された光と同じ一般的な方向に指向させる排気アパーチャ１１４を使用することは、該ＬＥＤランプ１００が図１に示されるもののような限られた空間を有する凹部領域内に配置された場合に、特に有利である。ＬＥＤが発生する熱を効果的に放散させながら、ＬＥＤランプ１００の形状因子を、有利に従来の電球と同じくらい小さいままとすることができる。
モータ１４０及びファン１４２を、図３に示される場所以外の場所に配置できることを理解すべきである。例えば、必要に応じて、モータ及びファンは、ＬＥＤランプ１００の開口部１０２ａの近く、又はチャネル１１１内に配置することができる。
【００２０】
本発明の別の実施形態において、空気流の方向を逆にすることができる。図５は、同じ要素に同じ符号が付けられている、ＬＥＤランプ１００に類似したＬＥＤランプ２００の断面図を示す。しかしながら、ＬＥＤランプ２００は、図３に示される実施形態に対して、モータ２４０及びファン２４２が逆にされている。図５に示されるように、モータ２４０は、シェル１０２のベース１０４の近くのプレート２０３に取り付けられている。モータ２４０及びファン２４２の逆構成を用いる場合には、空気は、よって空気入口ポートとして働くアパーチャ１１４を通して吸い込まれる。空気は、チャネル１１１を通してヒートシンク１３０上に引き込まれ、よって排気ポートとして働くアパーチャ１０６から出ていく。空気は、矢印２４４として図５に示されている。
【００２１】
本発明は、空気入口アパーチャ及び排気アパーチャの正確な位置に限定されるものでないことも理解すべきである。図６は、本発明の別の実施形態によるＬＥＤランプ３００の断面図を示す。ＬＥＤランプ３００は、ＬＥＤランプ１００と類似しており、同じ要素に同じ符号が付けられている。ベース１０４の近くにあるシェル１０２の周辺部の周りのアパーチャ１０６に加えて、ＬＥＤランプ３００はまた、開口部１０２ａとＬＥＤ１２０との間のほぼ半分の距離のところで、該シェル１０２の周辺部の周りにほぼ等間隔で配置された別の組のアパーチャ３１４も含む。アパーチャ３１４は、図６に破線で示されている。アパーチャ３１４の正確な位置は変え得るが、ヒートシンク１３０上の適切な空気流が所望の放熱を実現するのを可能にするように、該アパーチャ３１４を配置すべきである。さらに、アパーチャ１０６と同様に、必要に応じて、アパーチャ３１４の代わりに相対的に大きな単一のアパーチャを用い得ることを理解すべきである。
【００２２】
図７は、ファン及びモータが必ずしもヒートシンク１３０又はチャネル１１１に隣接していないが、該チャネル１１１と流体連通状態にある、すなわち該チャネル１１１を通して空気を移動させることができる、本発明の別の実施形態によるＬＥＤランプ４００の断面図を示す。ＬＥＤランプ４００は、ＬＥＤランプ２００と類似しており、同じ要素に同じ符号が付けられている。しかしながら、ＬＥＤランプ４００は、（光リフレクタ１１０、ＬＥＤ１２０などといった他の部品と共に）シェル４０２に連結され、該シェル４０２を支持する中空のネック部４１０と、ベース４２０とを含む。このネック４１０は、剛性であっても、可撓性であってもよい。図７に示されるように、ＬＥＤランプ４００は、ベース４２０内に配置されたモータ４４０及びファン４４２を含む。作動において、ファン４４２は、チャネル１１１を通して、ヒートシンク１３０の上に、ネック４１０を通してベース４２０まで空気を吸い込み、該ベース４２０において、空気は、排気ポート４２２を通して排出される。空気は、矢印４４４として図５に示されている。もちろん、必要に応じて、例えばモータ４４０及びファン４４２の配向を逆にすることによって、空気流を逆にすることもできる。さらに、空気がネック４１０を通して流れ、ベースの排気ポート４２２から出るようにしながら、モータ及びファンを依然としてヒートシンク１３０の近くに配置することができる。このように、ファン及び／又は吸気又は排気アパーチャを、ヒートシンク１３０又はチャネル１１１に隣接していない場所にしてもよいことを理解すべきである。
【００２３】
図８は、ＬＥＤランプ５００の別の実施形態の断面図を示す。ＬＥＤランプ５００は、ＬＥＤランプ１００と類似しており、同じ要素に同じ符号が付けられている。しかしながら、図８に示されるように、付加的なシェル５０２が、シェル１０２の周りに設けられている。シェル５０２内には、ＡＣ／ＤＣ変換器回路５０４が設けられている。矢印５０８によって示されるように、シェル５０２内のアパーチャ５０６は、アパーチャ１０６内に吸い込まれる前に、空気がＡＣ／ＤＣ変換器回路５０４に入り、この上に流れることを可能にする。この実施形態においては、ＡＣ／ＤＣ変換器回路５０４は、有利に冷却される。もちろん、必要に応じて、空気がアパーチャ５０６を通して出て行くように、空気流を逆にすることができる。
【００２４】
本発明は、説明目的のために特定の実施形態と共に示されたが、本発明は、これに限定されるものはない。本発明の範囲から逸脱することなく、種々の適合及び修正を行うことができる。例えば、本発明と共に、種々の形状のＬＥＤランプを用いることができる。さらに、空気入口及び出口、並びにヒートシンク及びファンの構成を変えることができる。したがって、添付の特許請求の範囲の精神及び範囲を、上記の説明に限定すべきではない。
【図面の簡単な説明】
【００２５】
【図１】缶の中に埋め込まれた従来のＰＡＲ型ランプの図を示す。
【図２】本発明の実施形態によるＬＥＤランプ１００の側面図を示す。
【図３】図２のＬＥＤランプの断面図を示す。
【図４】図２のＬＥＤランプの上部の平面図を示す。
【図４Ａ】本発明と共に用いることができるヒートシンクの平面図を示す。
【図４Ｂ】本発明と共に用いることができるヒートシンクの断面図を示す。
【図４Ｃ】本発明と共に用いることができるヒートシンクの底面図を示す。
【図５】本発明によるＬＥＤランプの別の実施形態の断面図を示す。
【図６】本発明によるＬＥＤランプの別の実施形態の断面図を示す。
【図７】本発明によるＬＥＤランプの断面図を示す。
【図８】ＬＥＤランプの別の実施形態の断面図を示す。
【符号の説明】
【００２６】
１００、２００、３００、４００、５００：ＬＥＤランプ
１０２、５０２：外側シェル
１０２ａ：開口部
１０４、１３２、４２０：ベース
１０６、１１４、１３４、１３８、３１４、５０６：アパーチャ
１１０：光リフレクタ
１１１：チャネル
１１２、１３６：フィン
１１６、５０４：ＡＣ／ＤＣ変換器
１２０：ＬＥＤ
１３０：ヒートシンク
１４０、２４０、４４０：モータ
１４２、２４２、４４２：ファン
４１０：ネック
【図１】
0004757480.tif 000002
【図２】
0004757480.tif 000003
【図３】
0004757480.tif 000004
【図４】
0004757480.tif 000005
【図４Ａ】
0004757480.tif 000006
【図４Ｂ】
0004757480.tif 000007
【図４Ｃ】
0004757480.tif 000008
【図５】
0004757480.tif 000009
【図６】
0004757480.tif 000010
【図７】
0004757480.tif 000011
【図８】
0004757480.tif 000012